(57)【特許請求の範囲】
【請求項１】
痛みを緩和すると共に治療治癒効果を提供するためのシステムであって、
少なくとも１つの治療モジュールであって、
中心線を有するシャフトと、
少なくとも１つの磁石であって、当該少なくとも１つの磁石が前記シャフトの前記中心線から所定半径で画定される環状パターンであって複数の磁石を有した場合においては該複数の磁石が回転の円周りに不均一に間隔をあけられる環状パターンで回転するように、前記シャフトの前記中心線に対してオフセットする構造で前記シャフトに連結される少なくとも１つの磁石と、
生体組織を貫通する動的磁場を発生するための前記少なくとも１つの磁石を回転可能なように駆動するための前記シャフトに結合されるモーターであって、微小振動が、前記中心線回りの前記少なくとも１つの磁石の回転から生じる慣性負荷を揺動することを含む、モーターと、
オプティカル光スペクトルでのフォトニック光照射野を発生するための光源と、
可聴音響トーンを作り出すように構成されたスピーカーと、
少なくとも１つの当該治療モジュール内に配置され、前記モーター、前記光源及び前記スピーカーと通信するように接続された電子回路基板と、
を具備する、少なくとも１つの治療モジュールと、
前記電子回路基板と命令制御通信するように操作可能に接続された外部コントローラーであって、痛みを緩和すると共に治療治癒効果を提供することを促進するように前記治療モジュールを制御するため、前記電子回路基板に対して命令制御信号を送信するように構成される、外部コントローラーと、
を具備し、
前記外部コントローラーが、少なくとも部分的に、少なくとも１つの前記治療モジュール及び前記外部コントローラー間の前記信号通信に基づいて、
少なくとも１つの前記磁石を回転させるための前記モーターの起動、
前記少なくとも１つの磁石の非一定又は一定の速度の一での回転の速度、
前記光源の光度、
光を放射する多数の光源、及び、
可聴音響トーンを作り出す前記スピーカー、
の少なくとも１つを制御するように構成された、システム。
【請求項２】
複数の治療モジュールを具備する、
請求項１に記載のシステム。
【請求項３】
複数の磁石が前記シャフトの前記中心線回りに画定される前記回転の円の周囲に不均一に回転するように、前記少なくとも１つの磁石が、前記オフセットする構造で前記シャフトに結合される前記複数の磁石を具備する、
請求項１記載のシステム。
【請求項４】
前記磁場が、１分間に約５００〜約１５０，０００回転の非一定の速度又は一定の速度の一で前記少なくとも１つの磁石を回転させることによって作り出される、
請求項１に記載のシステム。
【請求項５】
前記治療モジュールが、微小振動の、電磁気の、光子の、生化学の刺激を作り出し、
これらのうちの少なくとも１つが、細胞エネルギーに変化を起こさせて、有機体内の細胞エネルギーを変え、
磁気の、光子の、振動の、及びソニック音波の技術の少なくとも１つが、５分間よりも短い時間内に痛みを減少させる、
請求項１に記載のシステム。
【請求項６】
前記外部コントローラーが、遠隔制御部及びコンピュータのうちの一を含む、
請求項１に記載のシステム。
【請求項７】
前記外部コントローラーが、有線接続及び無線接続の少なくとも１つを通して前記少なくとも１つの治療モジュールと連結される、
請求項１に記載のシステム。
【請求項８】
前記光源が、約１ナノメートルから約１２，０００ナノメートルのオプティカル光波長を有する紫外線から赤外線までの光の広帯域スペクトルでのフォトニック光照射野を作り出す、
請求項１に記載のシステム。
【請求項９】
前記電子回路基板が、
前記モーター、前記光源及び前記スピーカーと制御通信をなすマイクロコントローラーと、
前記マイクロコントローラーと信号通信をなすパーソナル・エリア・ネットワーク（ＰＡＮ）コントローラーと、
操作可能に前記マイクロコントローラーに連結され、前記外部コントローラーから制御信号を受信するように構成されるアンテナを有するＰＡＮモジュールと、を具備する、
請求項１に記載のシステム。
【請求項１０】
シリアルＩＤコントローラーをさらに備える、
請求項１に記載のシステム。
【請求項１１】
少なくとも１つの前記治療モジュールを前記外部コントローラーに操作可能に結合するために構成されるＵＳＢポートをさらに備える、
請求項１に記載のシステム。
【請求項１２】
少なくとも１つの前記治療モジュールが接触することで、柔軟な表面が一方向に１／２ミリメートルよりも移動しないように、前記モーターが、微小振動を発生する、
請求項１に記載のシステム。
【請求項１３】
前記磁場及び前記フォトニック光が、生体細胞及び生体組織内でバルク熱を作り出さず、
前記磁場が、磁場強度で０．００１テスラ（１０ガウス）よりも強くなく、かつ１分間に約５００〜１５０，０００回転の非一定の速度及び一定の速度のうちの一方で前記少なくとも１つの磁石を回転することによって作り出される、
請求項１に記載のシステム。
【請求項１４】
前記モーターが、前記少なくとも１つの磁石によって発生される動的磁場と干渉しない磁場を作り出し、
当該磁場が、前記少なくとも１つの磁石によって発生される動的磁場の１％よりも強くない、
請求項１に記載のシステム。
【請求項１５】
経皮的電気刺激療法を提供するための微弱電流を発生するために構成される、
請求項１に記載のシステム。
【請求項１６】
痛みを緩和すると共に治療治癒効果を提供するためのシステムであって、
治療装置であって、
シャフトと、
少なくとも１つの磁石であって、当該少なくとも１つの磁石が前記シャフトの前記中心線から所定半径で画定される環状パターンであって複数の磁石を有した場合においては該複数の磁石が回転の円周りに不均一に間隔をあけられる環状パターンで回転するように、前記シャフトの前記中心線に対してオフセットする構造で前記シャフトの端部に連結される少なくとも１つの磁石と、
生体組織を貫通する磁場と、前記シャフトの前記中心線回りでオフセットした前記少なくとも１つの磁石の前記回転から生じる慣性負荷を揺動する形式の微小振動と、を発生するために、前記少なくとも１つの磁石を回転可能に駆動するように前記シャフトに結合されたモーターと、
フォトニック光を発生するための光源と、
可聴音響トーンを作り出すように構成されたスピーカーと、
前記治療モジュールのハウジング内に配置され、前記モーター、前記光源及び前記スピーカーと制御通信するように接続された電子回路基板と、
を具備する、治療装置と、
前記治療モジュールの前記電子回路基板と命令制御通信するように操作可能に接続された外部コントローラーであって、痛みを緩和すると共に治療治癒効果を提供することを促進するための前記治療装置を制御するため、前記電子回路基板に対して命令制御信号を送信するように構成される、外部コントローラーと、を具備し、
前記電子回路基板が、少なくとも部分的に、少なくとも１つの前記治療装置及び前記外部コントローラー間の前記信号通信に基づいて、前記外部コントローラーから、前記治療モジュールの１又は複数のパラメータであって、前記少なくとも１つの磁石を回転させる前記モーターの起動、前記少なくとも１つの磁石の非一定又は一定の速度での回転の速度の調整、前記光源の光度の調整、光を放射する多数の光源の調整、及び、音響トーンを作り出す前記スピーカーの調整、の少なくとも１つを含むパラメータを制御する命令制御信号を受信するように構成された前記システム。
【請求項１７】
前記治療装置が、微小振動の、電磁気の、光子の、生化学の刺激を作り出し、
これらのうちの少なくとも１つが、細胞エネルギーに変化を起こさせて、有機体内の細胞エネルギーを変え、
磁気の、光子の、振動の、及びソニック音波の技術の少なくとも１つが、５分間よりも短い時間内に痛みを減少させる、
請求項１６に記載のシステム。
【請求項１８】
前記外部コントローラーが、遠隔制御部及びコンピュータのうちの一を含む、
請求項１６に記載のシステム。
【請求項１９】
前記外部コントローラーが、有線接続及び無線接続の少なくとも１つを通して前記治療装置と連結される、
請求項１６に記載のシステム。
【発明の詳細な説明】
【技術分野】
【０００１】
本発明の実施形態は、細胞エネルギーの増加を促すための、音波を伴う、磁場とフォトニック（ｐｈｏｔｏｎｉｃ）光線照射野とを有する微小振動マッサージ動作を活用して、それにより、生体細胞において痛みの軽減及び治療作用を提供する、医療的な治療装置に関する。
【背景技術】
【０００２】
血流を刺激することによって人間の体の痛い場所をマッサージするための振動する装置の使用は、長い間有益であると考えられてきた。痛みを緩和すると共に異常組織を治癒するために、光線を一般的に使用するフォトニック光線療法もまた、様々な成功のレベルで使用されてきた。静的なかつ振動する磁場療法は、様々な成功のレベルで世界中に長年にわたって使用されてきた。緊張を緩和すると共に人間の体を和らげるための、音楽を含む音波もまた、使用されてきた。しかしながら、４つの技術すべての相乗的亢進をもたらすそのようなやり方で、上記技術の調整及び統合的な融合を開示し又は提案する先行技術はない。
【０００３】
先行技術は、影響を受けた組織の血行を刺激する振動を作り出す、電気的に駆動される振動器及びマッサージ器の使用を開示する。振動及び衝撃装置もまた、骨成長を働きかけるための技術において既知である。例えば、Ｋｅｎｎｅｔｈ Ｊ．ＭｃＬｅｏｄによる特許文献１は、人がその上に立つ板を通して鉛直振動を伝達することによって有機体内で骨成長を刺激するための装置を開示する。また、ＭｃＬｅｏｄによる特許文献２、特許文献３及び特許文献４は、機械的な荷重を骨に受けさせることによって、骨折した骨を含む骨の組織の成長及び治癒を促進する一方で、骨減少症を防ぐための方法を請求する。
【０００４】
Ｏｌｓｏｎによる特許文献５は、実証されると共に信頼性のある技術として磁気療法を説明する。Ｋｌｅｉｔｚによる特許文献６は、使用の間中、人間の体に１８インチよりも近くに来ない、モーター駆動の磁気マッサージ棒を説明する。したがって、その棒は、体に物理的に接触する状態になる必要がない。その棒は、血流の増加を促進するために０．０９５〜０．１０５テスラ（９５０〜１０５０ガウス）の強度の磁場を使用する。
【０００５】
Ｓｕｌｌｉｖａｎによる特許文献７は、炎症を軽減すること、並びに、有機体を包囲すると共に器官及び組織を解毒する電磁エネルギー場を刺激し再調整することによって、人間の治癒プロセスを刺激するための４７０ナノメートル、６３０ナノメートル及び８８０ナノメートルに分散された光子光波の使用を開示する。
【０００６】
Ｃｈｅｓｋｙによる特許文献８は、慢性のかつ鋭い痛みのための療法として音楽的な音波の使用を開示する。Ｄａｆｆｅｒらによる特許文献９もまた、音楽的なトーンを活用する治療装置を開示する。
【０００７】
先行技術の装置の多くは、大型かつ高価であり、患者に数時間の間、装置の上に横たわることを要求することもある。いくつかの先行技術の装置は、手持式装置であるが、１又は２の対象技術しか使用しない。例えば、Ｓｏｕｄｅｒによる特許文献１０及び特許文献１１は、１又は複数の回転する永久磁石と振動するマッサージ機構を有する手持式装置を特許請求している。適用から短期間（例えば数秒）に痛みの緩和を提供する手持式装置において機械的な微小振動の、光子（ｐｈｏｔｏｎ）の、ソニック（ｓｏｎｉｃ）の及び磁気の技術の使用を活用し、又は提案する先行技術の装置はない。
【０００８】
したがって、先行技術は、本発明の実施形態によって対処される多数の欠点によって特徴付けられる。本発明の実施形態は、便利な手持式装置において技術の統合を活用することによって、上記で参照された欠点及び短所を最小化し、場合によっては除去する。臨床試験は、患者のためのほぼ即時の痛みの緩和作用を確認する。
【先行技術文献】
【特許文献】
【０００９】
【特許文献１】米国特許第５２７３０２８号明細書
【特許文献２】米国特許第５１０３８０６号明細書
【特許文献３】米国特許第５３７６０６５号明細書
【特許文献４】米国特許第５１９１８８０号明細書
【特許文献５】米国特許第６２４５００６号明細書
【特許文献６】米国特許第５６３２７２０号明細書
【特許文献７】米国特許第６６０２２７５号明細書
【特許文献８】米国特許第５０３５２３５号明細書
【特許文献９】米国特許第５６４５５７８号明細書
【特許文献１０】米国特許第６００１０５５号明細書
【特許文献１１】米国特許第６２３１４９７号明細書
【特許文献１２】米国特許第６３４４０２１号明細書
【特許文献１３】米国特許第６７４６４７３号明細書
【発明の概要】
【発明が解決しようとする課題】
【００１０】
したがって、この開示は、痛み又は他の苦痛に苦しむ人間の体の場所に便利に指向され又は適用されることのできる、振動の、光子の、磁気の及びソニックの技術の統合的な組み合わせを含む手持式の痛みを緩和する装置を説明する。一実施形態において、痛みを緩和すると共に治療治癒効果を提供するためのシステムは、手持式の痛みを緩和する装置と、手持式の痛みを緩和する装置の１又は複数のパラメータを制御するための、手持式の痛みを緩和する装置に連結されるコントローラーとを含む。
【課題を解決するための手段】
【００１１】
一態様において、装置は、微小振動及び可聴の信号を作り出すと共に１又は複数の永久磁石又は電磁石を駆動するモーターと、１又は複数の光源とを含む。重要なことには、モーターは、１又は複数の永久磁石又は電磁石によって発生される磁束と干渉しないように、非常に小さな電磁場を作り出す。装置の適用部端部は、痛み又は関連した苦痛に苦しむ体の場所に接触して、又は近傍に設置される。臨床試験の間中、磁気の、光子の、振動の及び音の技術の組み合わせは、非常に短い期間内に痛みの緩和作用を提供することを証明した。
【００１２】
他の態様においては、痛みを和らげると共に治療治癒効果を提供するための治療モジュールが提供される。治療モジュールは、磁場と、微小振動と、可聴音響トーンとを発生するための少なくとも１つの磁石を回転するためのモーターを含む。シャフトは、少なくとも１つの磁石をモーターに連結する。少なくとも１つの磁石は、シャフトの中心線に対してオフセットする構造でシャフトに連結され、それにより、慣性負荷を揺動する形で微小振動を発生する。治療モジュールは、オプティカル（ｏｐｔｉｃａｌ）光スペクトルでのフォトニック光照射野を発生するための光源を含む。
【００１３】
他の態様において、痛みを和らげると共に治療治癒効果を提供するためのシステムは、少なくとも１つの治療モジュールと、治療モジュールに連結されるコントローラーとを含む。治療モジュールは、シャフトの中心線に対してオフセットする構造でシャフトに連結される少なくとも１つの磁石を含む。生体組織を貫通する動的磁場と、中心線回りに少なくとも１つの磁石の回転から生じる慣性負荷を揺動することを含む微小振動とを発生するために少なくとも１つの磁石を回転可能なように駆動するためのシャフトに、モーターは、連結される。治療モジュールは、オプティカル光スペクトルでのフォトニック光照射野を発生するための光源もまた含む。コントローラーは、痛みを和らげると共に治療治癒効果を提供することを促進するための治療モジュールを制御するために構成される。
【００１４】
他の態様においては、少なくとも１つの治療モジュールにより痛みの緩和作用を施すための方法が提供される。その方法は、磁場を発生するために少なくとも１つの磁石を回転する段階を含む。磁場は、少なくとも１つの磁石をモーターに連結する、回転するシャフトの中心線に平行な磁場の中心線と共に移動する環状磁場パターンを含む。フォトニック光照射野は、オプティカル光スペクトルで発生される。フォトニック光照射野は、磁場に向けて指向される。微小振動は、シャフトの中心線回りに画定される環状パターンにおいてオフセットする構造でシャフトに連結される少なくとも１つの磁石が回転することによって発生される。可聴音響トーンもまた、発生される。少なくとも１つの治療モジュールは、人間又は動物の体の痛い場所に接触して、又は近傍に設置される。
【００１５】
他の態様においては、痛みを和らげると共に治療治癒効果を提供するための治療装置が提供される。治療装置は、磁場、微小振動及び可聴音響トーンを発生するための少なくとも１つの磁石を回転するためのモーターを含む。シャフトは、少なくとも１つの磁石をモーターに連結する。少なくとも１つの磁石は、シャフトの中心線に対してオフセットする構造でシャフトに連結され、それにより、慣性負荷を揺動する形で微小振動を発生する。治療装置は、オプティカル光スペクトルでのフォトニック光照射野を発生するための光源もまた含む。さらなる態様において、痛みを和らげると共に治療治癒効果を提供するためのシステムが提供される。システムは、治療装置と、治療装置に連結されるコントローラーとを含む。コントローラーは、痛みを和らげると共に治療治癒効果を提供することを促進するための治療装置を制御するために構成される。
【００１６】
他の態様においては、痛みを和らげると共に治療治癒効果を提供するための手持式治療装置が提供される。手持式治療装置は、複数の磁石がシャフトの中心線回りに画定される環状パターンで回転するように、オフセットするやり方でシャフトに連結される複数の磁石を含む。複数の磁石は、中心線回りに不均一に間隔をあけられる。手持式治療装置は、生体組織を貫通する動的磁場と、シャフトの中心線回りの複数の磁石の回転から生じる慣性負荷を揺動する形で微小振動とを発生するために複数の磁石を回転可能なように駆動するためのモーターを含む。少なくとも１つの光源は、オプティカル光スペクトルでのフォトニック光照射野を発生するために構成され、スピーカーは、可聴音響トーンを作り出すために構成される。
【００１７】
固定された、静的な、又は、複数の磁石あるいはその組み合わせが使用される磁気療法と、磁場及び物理的なマッサージする振動がない場合に光線が使用される光子療法との確立したその分野において、その装置は、独特である。
【００１８】
磁気療法は、世界中で何千年もの間、使用されてきた。中国、日本、ロシア、仏国及び英国を含む国々は、この対象について多くの文献を作り出してきた。世界中で、磁気療法は、治癒のための安全な手法と考えられている。しかしながら、アメリカ合衆国では、一般的に、磁気療法は、治癒のための実行可能な手法と考えられていない。それにもかかわらず、アメリカ合衆国において、一部の医師は、骨折が治癒する速度を増加するための静的な磁石の使用を報告している。
【００１９】
アメリカ合衆国で広く使用されている磁気技術の１つの分野は、磁気共鳴映像法（ＭＲＩ）技術である。ＭＲＩ装置は、異常な場所の画像又は写真を露光し又は作り出すために人間の体に指向される数テスラ（数万ガウス）のオーダーの磁場を発生する。ＭＲＩは、治療法としては使用されない。対照的に、本発明の実施形態では、０．００１テスラ（１０ガウス）よりも弱い磁場しか発生しない。
【００２０】
最近発行されたＪｕｓｔｅｒらによる特許文献１２は、磁気療法が、アデノシン三リン酸（ＡＴＰ）の体の合成を加速することによって治癒を早くすることを開示している。ＡＴＰは、全ての細胞プロセスを燃焼し、かつ、酸素を運ぶ血液の能力を亢進する燃料であると考えられる。各個の細胞は、その核で正電荷を、その外膜で負電荷を所有する。適切に機能するために、細胞及び神経系は、直流（ＤＣ）とパルス状のＤＣ電気エネルギーとに依存する。その結果、生命は、電流なしに存在することはできない。特許文献１２は、緩和作用が患者によって認識される前に、静的磁気療法が、長期にわたる期間（例えば数時間から数日）を必要とすることもまた公開する。しかしながら、本発明の実施形態は、患部内に電流を誘導するための技術の特有な組み合わせを活用する。広範囲にわたる臨床試験に基づいて、患者は、本発明の実施形態により数秒から数分まで処置の間に慢性の痛みから解放された。
【００２１】
振動マッサージ作用が、患部に血流を増加させ、痛みの緩和作用を亢進するための組織の機械的刺激を提供することが、当該技術分野で周知である。
【００２２】
レーザー光線は、傷の治癒、浮腫の減少、及び術後の痛みの緩和を含む広範囲の条件での処置のために医療施設でごく普通に使用される。光線は、条件及び特有の必要性に応じて組織の狭い場所又は広い場所に指向される。例えば、光線療法は、黄疸を患っている新生児に従来の医療病院環境でごく普通に使用される。単一のレーザー、複数のレーザー、レーザーダイオード及びレーザーアレイは、光線療法を促進するために使用される。ＳｈａｎｋｓとＴｕｃｅｋとによる特許文献１３は、連続する光線と、パルスレーザー光のスポットを作り出す他の光線とを供給する複数のレーザーダイオード源の使用を開示する。
【００２３】
音波は、人間をリラックスさせ、かつ、刺激することの両方をするために数世紀にわたって使用されてきた。このことは、音楽が人類の始まりから親しまれてきたことが１つの理由である。超音波技術もまた、熱的効果及び非熱的効果を作り出すための治療上の使用について周知である。
【図面の簡単な説明】
【００２４】
【図１】本発明の第１の実施形態の微小振動装置の長さに沿った断面図。
【図１Ａ】方向Ａに沿った断面を示す図。
【図２】本発明の第１の実施形態の磁石保持部を駆動するモーターを示す図。
【図２Ａ】図２の磁石保持部の端面図。
【図３】本発明の第１の実施形態の１つの光源を有する微小振動装置に電力を供給するために使用される電気回路の回路図。
【図３Ａ】本発明の第１の実施形態の複数の光源を有する微小振動装置に電力を供給するために使用される電気回路の回路図。
【図４】本発明の第２の実施形態の微小振動治療装置の長さに沿った断面図。
【図５】図４に示される微小振動治療装置と共に使用するための適切なコントローラーの平面図。
【図６】コントローラーに連結される複数の治療モジュールを含む微小振動システムの概略図。
【図７】図６に概略的に示される治療モジュールの長さに沿った断面図。
【図８】図６に概略的に示され、かつ、図７に示される治療モジュールと共に使用するために適切である、コントローラーの平面図。
【図９】図４に示される微小振動治療装置の正面図。
【発明を実施するための形態】
【００２５】
本発明の実施形態と一致する原理の理解を容易にする目的のために、図面において示される実施形態について以下に参照され、特有の言葉は、図面を説明するために使用される。それにもかかわらず、当然のことながら、本発明の範囲の制限は、それにより意図されない。本発明に属する特徴の任意の改変及びさらなる変更は、ここに示され、当業者及びこの開示を入手する者に通常は思い付くであろう、ここに示されるような本発明の原理の付加的な用途なら何でも、請求される本発明の範囲内であると考慮されるべきである。
【００２６】
本願出願人は、小型の痛み緩和装置と、人間又は動物に様々な形のエネルギーを与えるための使用方法とを開発した。この装置は、体ひいては生体細胞の選択された場所に、多次元の、水平の、平行の、かつ回転の微小振動を同時に提供する。ここで使用される“微小振動”という言葉は、平衡位置を中心とした俊敏な往復線形運動、又は軸線回りの対称若しくは非対称の俊敏な環状運動、及び物理の分野において物理的な“振動”の既知の意味と一致する任意の他の適切な運動を参照するものとする。その装置が組織に接触するように設置されるとき、微小振動もまた、その組織に任意の方向に１／２ミリメートルよりも移動させない、任意の機械的な、フォトニックな、磁気的な、ソニックな、又は音響的な振動と見なされてもよい。
【００２７】
本発明の第１の実施形態は、図１〜図３において示される。治療装置５は、モーターシャフト２０に取り付けられる磁石保持固定部１５を有する電動モーター１０を具備する。永久磁石又は電磁石２５は、保持固定部１５内の所定の位置に取り付けられると共に保持される。永久磁石又は電磁石２５がオフセットするやり方においてシャフト２０に接続されるので、永久磁石又は電磁石２５は、モーター１０によってモーターシャフト２０の中心線回りに回転可能なように駆動される。用途に応じて、磁石２５は、１分間に５００〜１５０，０００回転の一定又は非一定（ａｌｔｅｒｎａｔｉｖｅ）の速度で回転されてもよい。理想的に、発生される磁場の強さは、０．００１テスラ（１０ガウス）よりも弱い。重要なことには、モーター１０は、１又は複数の永久磁石又は電磁石２５によって発生される磁束に干渉しないように、非常に小さい電磁場のみを作り出すべきである。例えば、モーター１０は、１又は複数の磁石２５によって発生される磁場又は電磁場の１％よりも弱い強さである磁場又は電磁場を作り出してもよい。
【００２８】
モーター１０は、電源をオンにする電気的なオン−オフスイッチ３５に応答して、バッテリー３０によって電力を供給される。示されるように、バッテリー３０から正電圧（＋）は、導電体４０を通してモーター１０へ流れ、負電圧（−）は、導電体４５と、バッテリー保持キャップ５０と、装置筐体５５と、スイッチ保持筐体６０と、筐体統合体６５と、モーター保持固定部７０とを通してモーター１０へ流れる。
【００２９】
フォトニック光は、電球などの１又は複数の光源７５によって作り出される。レーザー又は発光ダイオードが使用されてもよい。光源７５は、モーター１０に類似するやり方で電力を供給される。図１Ａは、磁石２５及び複数の光源７５を詳述する断面端面図を示す。光は、約１ナノメートル（ｎｍ）から約１２，０００ｎｍまでのオプティカル光波長を有する紫外線から赤外線までの光の広帯域スペクトルに分類されてもよく、光源７５は、磁石２５によって作り出される磁場の中へ指向される。
【００３０】
結合される、永久磁石又は電磁石２５によって作られる磁場と、オプティカルスペクトルでの光子電磁場とは、生体細胞内の如何なるバルク熱をも作り出さないはずである。したがって、光度の振幅の大きさが上下に揺動するように、オプティカル光スペクトルでのフォトニック電磁場は、連続的に照らすこと、又は振動することのどちらもできる。加えて、オプティカル光スペクトルでのフォトニック電磁場は、大きさが上下に揺動することによって強度振幅を独立して振動し又は変更する、幅が３０ナノメートル（ｎｍ）又はそれよりも狭い、光の１又は複数の離散的狭帯域を有してもよく、又は、広帯域光スペクトル場の範囲内で断続的になってもよい。
【００３１】
本発明の第１の実施形態の微小振動マッサージ作用は、磁石保持固定部１５を回転するためのモーター１０を起動することによって作り出される。次いで、ここでは微小振動として参照される物理的な振動は、モーター保持固定部７０及び筐体６５を通して伝達される。シャフト２０への永久磁石又は電磁石２５のオフセットした取付けは、微小振動として人間又は動物の感覚によって感じ取られる慣性負荷の揺動を作り出す。筐体６５が人間又は動物の組織に接触するよう配置されるとき、微小振動は、前記組織に伝達される。実際には、筐体６５が体に接触するよう、又は近傍に配置されるので、磁石又は電磁石２５によって作り出される磁場と、光源７５によって作り出されるオプティカルスペクトルでのフォトニック電磁場とは、体の細胞に伝達されると共に体の細胞によって吸収される。モーター１０及び半導体（ｓｏｌｉｄ ｓｔａｔｅ）音波発生体（図中非表示）の両方又は一方を稼動することは、体によって同様に吸収される可聴ソニック音もまた作り出す。音響変換機又は音声コイルスピーカー８０は、モーター１０に類似するやり方で電気的に駆動される。音声コイルスピーカー８０は、上記で開示されたように、人間の細胞を刺激する心地よい音を作り出す。
【００３２】
図２及び図２Ａは、モーター１０と、磁石保持固定部１５と、磁石２５との間の関係を示す。基本的に、電源（例えばバッテリー３０）は、磁石保持固定部１５と収容される磁石２５とを順次回転させるモーター１０を駆動する。図３及び図３Ａはそれぞれ、１又は複数の光源７５を有する本発明の第１の実施形態のための電気回路図を示す。図３の回路図は、電源３０と、モーター１０と、光源７５と、オン−オフスイッチ３５を具備する。図３Ａの回路図は、電源３０と、モーター１０と、複数の光源７５と、オン−オフスイッチ３５を具備する。
【００３３】
単一の回転する磁石によって発生されるような小さな回転する磁場は、光源７５から光量子によって刺激される細胞内に亢進又は強化された電子流を作り出すことが確認された。その相乗効果は、痛みの除去作用をフォトニック刺激単独よりも５〜１０倍迅速に増加する。
【００３４】
図４及び図５を参照すると、他の実施形態において、痛みを緩和すると共に治療治癒効果を提供するためのシステム１００は、図４で示されるような手持式治療装置１０５と、治療装置１０５と共に、例えば信号通信で連動する、図５で示されるようなコントローラー１０６とを含む。コントローラー１０６は、携帯電話又は携帯情報端末などの、図５において示されるような、コンピュータ又はコンピュータネットワーク（図中非表示）と、手持式遠隔コントローラー１０６との両方又は一方を含んでもよい。他の実施形態において、コントローラー１０６は、机に取り付けられるコントローラー１０６を含む。コントローラー１０６は、以下にさらに詳しく説明されるように、治療装置１０５の１又は複数のパラメータを、監視及び調整の両方又は一方をするなどの制御をするために構成される適切なソフトウェアを含む。したがって、一実施形態による技術的な効果は、治癒装置１０５の１又は複数のパラメータを監視及び調整の両方又は一方をすることを含むコントローラー１０６により、治癒装置１０５の作用を制御する機能を含む。
【００３５】
コントローラー１０６は、治癒装置１０５と例えば有線接続又は無線接続を通して信号通信をし、痛みを緩和すると共に治療治癒効果を提供することを促進するための治療装置１０５の作用を制御するために構成される。一実施形態において、コントローラー１０６は、治療装置１０５と無線信号通信をする。適切な無線周波数又はデジタル技術は、治癒装置１０５とコントローラー１０６との間の無線信号通信を提供するために活用される。具体的な実施形態において、コントローラー１０６が、コントローラー１０６と治療装置１０５との間の情報の交換を容易にするための、ブルートゥース（登録商標）無線パーソナル・エリア・ネットワーク（ＰＡＮ）のような適切な無線ＰＡＮを通して治療装置１０５と無線信号通信をするように、治療装置１０５及びコントローラー１０６は、適切な構成要素と共に構成される。この実施形態において、コントローラー１０６は、安定した短距離無線周波数を通して治癒装置１０５と通信をする。コントローラー１０６は、ユーザー、医師、看護士又はシステム技術者によって指示される通りに治癒装置１０５に命令制御信号を伝送するために構成される。さらに、一実施例においては、治療装置１０５によって伝送される信号を受信して、治癒装置１０５によって伝送される１又は複数の信号に少なくとも部分的に基づいて治癒装置１０５の１又は複数のパラメータを監視及び調整することの両方又は一方を容易にするための、コントローラー１０６は、構成される。
【００３６】
図４に示されるように、治療装置１０５は、コントローラー１０６と無線通信を容易にするための治癒装置１０５の筐体１０７内に収容される適切な構成要素を含む。一実施形態において、アンテナ１０９を含むブルートゥース（登録商標）モジュール１０８は、治療装置１０５とコントローラー１０６との間の信号通信を容易にするために筐体１０７内に収容される。ブルートゥース（登録商標）モジュール１０８によって発生される信号の伝送と、コントローラー１０６からのアンテナ１０９による信号の受信とは、筐体１０７内に収容されるブルートゥース（登録商標）コントローラー１１０と１又は複数のマイクロコントローラー１１１との両方又は一方によって処理され、治癒装置１０５とコントローラー１０６との間の信号通信を容易にするためにブルートゥース（登録商標）モジュール１０８及びアンテナ１０９の両方又は一方との制御通信をなす。さらに、ブルートゥース（登録商標）コントローラー１１０とマイクロコントローラー１１１との両方又は一方は、治癒装置１０５とコントローラー１０６との間の信号通信に少なくとも部分的に基づいた、以下で説明されるような治療装置１０５の１又は複数のパラメータを制御するために構成される。具体的な実施形態において、マイクロコントローラー１１１は、コントローラー１０６からブルートゥース（登録商標）モジュール１０８によって受信される命令制御信号に少なくとも部分的に基づいて、以下にさらに詳しく説明されるように、治療装置１０５の作用を制御する。特定の実施形態において、電力チャージ１１２は、作用のために適切な電力を供給するために、ブルートゥース（登録商標）無線ＰＡＮ構成要素に連結される。治療装置１０５は、１又は複数のシリアルＩＤコントローラー１１３もまた含んでもよい。他の実施形態において、治療装置１０５及びコントローラー１０６の両方又は一方は、治療装置１０５とコントローラー１０６との間の無線通信を容易にするための、ブルートゥース（登録商標）無線ＰＡＮ構成要素に加えて適切なＰＡＮ構成要素などの、又はその代替品などの、任意の適切な構成要素を含む。
【００３７】
無線通信機能に代えて、又は無線通信機能に加えて、治療装置１０５は、治療装置１０５の協力するＵＳＢポート１１４と連結されるＵＳＢケーブルなどの、適切な有線通信構成要素を使用するコントローラー１０６に連結されてもよい。他の実施形態において、他の適切な有線及び無線の両方又は一方の、通信技術及び通信システムの両方又は一方は、治療装置１０５とコントローラー１０６との間の信号通信を提供するために使用されてもよいことは、当業者及びここに提供される教示によって導かれる者には明らかであろう。
【００３８】
治療装置１０５は、モーターシャフト１２０に連結される磁石保持固定部１１８を有する電動モーター１１６を含む。１若しくは複数の永久磁石又は１若しくは複数の電磁石などの、少なくとも１つの磁石１２５は、磁石保持固定部１１８内の所定の位置に取り付けられると共に保持される。磁石１２５がオフセットするやり方でモーターシャフト１２０に連結されるので、生体組織を貫通する動的磁場と、中心線回りの磁石１２５の回転がもたらす慣性負荷を揺動することを含む微小振動とを発生するためにモーター１１６によって、モーターシャフト１２０の中心線回りに回転可能なように、磁石１２５は、駆動される。用途に応じて、磁石１２５は、１分間に約５００〜約１５０，０００回転の一定の回転の速度又は非一定の回転の速度で回転されてもよい。具体的な実施形態において、複数の磁石１２５がモーターシャフト１２０の中心線回りに画定される回転の円の周囲に不均一に回転するように、複数の磁石１２５は、オフセットする構造の状態でモーターシャフト１２０に連結される。一実施形態において、発生される磁場の強さは、０．００１テスラ（１０ガウス）よりも弱い。さらに、モーター１１６は、１又は複数の磁石１２５によって発生される動的な磁場に干渉しない非常に小さな電磁場のみを作り出す。例えば、モーター１１６は、１又は複数の磁石１２５によって発生される動的な磁場又は電磁場の強さの、１％よりも弱い強さを有する電場又は電磁場を作り出してもよい。
【００３９】
モーター１１６は、適切なバッテリーなどの、電源によって電力供給される。一実施形態において、再充電のできるリチウムバッテリー又は任意の適切な再充電のできるバッテリーなどのバッテリー１３０は、治療装置１０５の筐体１０７内に配置される。図４を参照すると、バッテリー１３０は、モーター１１６と連結される。一実施形態において、バッテリー１３０は、電源をオンにする電気スイッチ（図中非表示）に応えて、電力をモーター１１６に供給するために起動される。充電された又は再充電できるバッテリーを制限なく含む任意の適切な電源が、治療装置１０５に電力を供給するために活用されてもよいことは、当業者及びここに提供される教示によって導かれる者には明らかであろう。一実施形態において、ライト（図中非表示）又は他の適切なインジケーターは、治療装置１０５が作用のために起動しているか又は起動していないかどうかを示す。
【００４０】
治療装置１０５は、オプティカル光スペクトルでのフォトニック光照射野を発生するための少なくとも１つの光源１７５もまた含む。光源１７５は、例えば、電球、レーザー又は発光ダイオードを含んでもよい。光源１７５は、バッテリー１３０によって電源供給される。光源１７５から放射される光は、紫外線から赤外線までの光の広帯域スペクトルに分類されてもよい。具体的な実施形態において、光源１７５は、約１ナノメートル（ｎｍ）から約１２，０００ｎｍまでのオプティカル光波長を有する、紫外線から赤外線までの光の広帯域スペクトルにおいてフォトニック光照射野を作り出す。一実施形態において、光源１７５は、磁石１２５によって発生される磁場の中へ放射される光を指向させる。
【００４１】
結合される、磁石１２５によって発生される磁場と、オプティカルスペクトルでの光子電磁場とは、生体細胞内に如何なるバルク熱をも作り出さないはずである。したがって、一実施形態において、光度の振幅の大きさが上下に揺動するように、オプティカル光スペクトルでのフォトニック電磁場は、継続的に照らすことも振動することもできる。加えて、オプティカル光スペクトルでのフォトニック電磁場は、大きさが上下に揺動することによって強度振幅を独立して振動し又は変更する、幅が３０ナノメートル（ｎｍ）又はそれより狭い、光の１又は複数の離散的狭帯域を有してもよく、又は、広帯域光スペクトル場の範囲内で断続的になってもよい。
【００４２】
図４に示される他の実施形態の微小振動マッサージ作用は、磁石保持固定部１１８を回転するためのモーター１１６を起動することによって作り出される。次いで、ここで微小振動として参照される物理的な振動は、筐体１７６を通して伝達される。モーターシャフト１２０への磁石１２５のオフセットした取付けは、微小振動としての人間又は動物の感覚によって感じ取られる、揺動する慣性負荷を作り出す。筐体１７６が人間又は動物の組織と接触するよう配置されるとき、微小振動は、組織に伝達される。実際には、筐体１７６が体に接触するよう、又は近傍に配置されるので、磁石１２５によって作り出される磁場と光源１７５によって作り出されるオプティカルスペクトルでのフォトニック電磁場とは、体の細胞に伝達されると共に体の細胞によって吸収される。モーター１１６及び半導体音波発生体（図中非表示）の両方又は一方を稼動することは、体によって同様に吸収される可聴ソニック音もまた作り出す。音響変換機、音声コイルスピーカー１８０、又は可聴音響トーンを作り出すために構成された他の適切な構成要素は、モーター１１６に類似するやり方でバッテリー１３０によって電気的に駆動される。スピーカー１８０は、上記で開示されたように、人間の感覚をリラックスすると共に鎮静し、かつ、人間の細胞を刺激する心地よい音を作り出す。あるいは、又は加えて、モーター１１６は、可聴音響トーンを作り出す。
【００４３】
１又は複数の回転する磁石１２５によって発生されるような、小さな回転する磁場が、１又は複数の光源１７５から光量子によって刺激される細胞内に亢進された電子流を作り出すことが確認されている。その相乗効果は、フォトニック刺激単独よりも５〜１０倍迅速な痛みの除去作用を増加する。治療装置１０５は、細胞エネルギーに変化を起こさせる、微小振動の、電磁気の、光子の、生化学の刺激を作り出す。より厳密に言えば、回転する磁石１２５によって発生される磁場は、有機体内の細胞エネルギーを変える。一実施形態において、磁気の、光子の、振動の、又はソニック音波の、あるいはその組み合わせの技術は、５分間よりも短い時間内に痛みの軽減をもたらす。
【００４４】
図５をさらに参照すると、手持式の又は机に取り付けられる遠隔コントローラー１０６は、アンテナ１０９によりブルートゥース（登録商標）モジュール１０８との信号通信を容易にするためのアンテナ１８２を含む。治療装置１０５の１又は複数のパラメータ値を代表する、コントローラー１０６によって発生されると共に治療装置１０５に伝送される命令制御信号と、コントローラー１０６に治療装置１０５によって発生及び伝送される命令制御信号との両方又は一方を代表する、アイコンと文字列との両方又は一方などの、アイコン及び文字列の両方又は一方を表示するために構成されたディスプレースクリーン１８４もまた、コントローラー１０６は、含む。さらに、コントローラー１０６は、命令制御信号を治療装置１０５に伝送することを容易にするために構成される、キー及びノブの両方又は一方であるタッチスクリーン入力などの複数の入力機構１８６を含む。任意の適切な、ディスプレースクリーンと、入力機構の数及びタイプの両方又は一方との両方又は一方が、治療装置１０５と、手持式の又は机に取り付けられる遠隔コントローラー１０６との間の通信を容易にするために活用されてもよいことは、当業者及びここに提供される教示によって導かれる者には明らかであろう。
【００４５】
上記に説明されるように、コントローラー１０６は、治療装置１０５の１又は複数のパラメータを制御するための命令制御信号を治療装置１０５に伝送するために構成される。具体的な実施形態において、例えば上記で説明されるように、治療装置１０５を起動及び調整の両方又は一方と、非一定の又は一定の回転の速度で１又は複数の磁石１２５を回転するためのモーター１１６を起動及び調整の両方又は一方と、光を放射する１又は複数の光源１７５の光度と多数の光源１７５との両方又は一方の調整と、音響トーンを作り出すためのスピーカー１８０を起動及び調整の両方又は一方とをするために、コントローラー１０６は、構成される。
【００４６】
図６〜図８を参照すると、さらに別の実施形態において、痛みを和らげると共に治療治癒効果を提供するためのシステム２００は、各治療モジュール２０５と連結される少なくとも１つの手持式治療モジュール２０５と、コントローラー２０６とを含む。システム２００が、痛みを和らげると共に治療治癒効果を提供することを促進するためのコントローラー２０６にそれぞれ独立して連結される任意の適切な数の治療モジュール２０５を含んでもよいことは、当業者及びここに提供される教示によって導かれる者には明らかであろう。コントローラー２０６は、携帯電話又は携帯情報端末などの、コンピュータ又はコンピュータネットワーク（図中非表示）と、図８に示されるような手持式遠隔コントローラー２０６との両方又は一方を含んでもよい。他の実施形態において、コントローラー２０６は、机に取り付けられるコントローラー２０６を含む。コントローラー２０６は、以下にさらに詳しく説明されるように、治療モジュール２０５の１又は複数のパラメータを、監視及び調整の両方又は一方をするなどの制御をするために構成される適切なソフトウェアを含む。したがって、一実施形態による技術的な効果は、治療モジュール２０５の１又は複数のパラメータを監視及び調整の両方又は一方をすることを含むコントローラー２０６により各治療モジュール２０５の作用を制御する機能を含む。
【００４７】
コントローラー２０６は、各治療モジュール２０５と、例えば有線接続又は無線接続を通して信号通信をなし、痛みを和らげると共に治療治癒効果を提供することを促進するための各治療モジュール２０５の作用を独立して制御するために構成される。一実施形態において、コントローラー２０６は、図６〜図８に示すように、各治療モジュール２０５と無線信号通信をなす。適切な無線周波数又はデジタル技術は、各治療モジュール２０５とコントローラー２０６との間の無線信号通信を提供するために活用される。具体的な実施形態において、コントローラー２０６は、コントローラー２０６と各治療モジュール２０５との間の情報の交換を容易にするために、システム１００を参照して上記に説明されるブルートゥース（登録商標）無線パーソナル・エリア・ネットワーク（ＰＡＮ）のような、適切な無線ＰＡＮを通じて各治療モジュール２０５と無線信号通信をなす。この実施形態において、コントローラー２０６は、安定した短距離無線周波数を通して各治療モジュール２０５と通信をなす。他の実施形態において、治療モジュール２０５及びコントローラー２０６の両方又は一方は、治療モジュール２０５とコントローラー２０６との間の無線通信を容易にするために、ブルートゥース（登録商標）無線ＰＡＮ構成要素に加えて適切なＰＡＮ構成要素などの、又はその代替品などの、任意の適切な構成要素を含む。
【００４８】
コントローラー２０６は、ユーザー、医師、看護士又はシステム技術者によって指示される通りに各治療モジュール２０５に命令制御信号を伝送するために構成される。さらに、一実施例において、対応する治療モジュール２０５によって伝送される少なくとも部分的に１又は複数の信号に、基づいた対応する治療モジュール２０５の１又は複数のパラメータを監視及び調整することの両方又は一方を容易にするために、各治療モジュール２０５によって伝送される信号を受信するために、コントローラー２０６は、構成される。治療モジュール２０５とコントローラー２０６との間の信号通信を容易にするために、かつ、治療モジュール２０５とコントローラー２０６との間の信号通信に少なくとも部分的に基づいて下記に説明されるように治療モジュールの１又は複数のパラメータを制御する、電力回路基板（ＰＣＢ）２０８を、各治療モジュール２０５は、含む。
【００４９】
あるいは、各治療モジュール２０５は、治療モジュール２０５及びコントローラー２０６の協力するＵＳＢポート（図６〜８中非表示）に連結されるＵＳＢケーブルなどの、適切な有線通信構成要素を使用するコントローラー２０６に連結されてもよい。他の適切な有線及び無線の両方又は一方の通信技術及び通信システムの両方又は一方が、治療モジュール２０５とコントローラー２０６との間の信号通信を提供するために使用されてもよいことは、当業者及びここに提供される教示によって導かれる者には明らかであろう。
【００５０】
図７をさらに参照すると、各治療モジュール２０５は、患者の体に対して所望の位置又は場所に治療モジュール２０５を保持することを容易にするために、適切なストラップ２０７と他の適切な固定する構成要素との両方又は一方を含む。例えば、患者の前腕に配置される治療モジュール２０５と共に、ストラップ２０７は、前腕上の所望の場所に正確に配置される治療モジュール２０５を保持するために患者の腕の周囲に配置されてもよい。図７に示すように、各治療モジュール２０５は、モーターシャフト２２０に連結される磁石保持固定部２１５を有する電気モーター２１０を収容するために構成されるモジュール筐体２０９を含む。１若しくは複数の永久磁石又は１若しくは複数の電磁石などの、少なくとも１つの磁石２２５は、磁石保持固定部２１５内の所定の位置に連結されると共に保持される。磁石２２５がオフセットするやり方でモーターシャフト２２０に連結されるので、生体組織を貫通する動的磁場と、中心線回りの磁石２２５の回転がもたらす慣性負荷を揺動することを含む微小振動とを発生するためのモーター２１０によって、モーターシャフト２２０の中心線回りに回転可能なように、磁石２２５は、駆動される。用途に応じて、磁石２２５は、１分間に約５００〜約１５０，０００回転の一定の回転の速度又は非一定の回転の速度で回転されてもよい。具体的な実施形態において、複数の磁石２２５がシャフト２２０の中心線回りに画定される回転の円の周囲に不均一に回転するように、複数の磁石２２５は、オフセットする構造の状態でシャフト２２０に連結される。一実施形態において、発生される磁場の強さは、０．００１テスラ（１０ガウス）よりも弱い。さらに、モーター２１０は、１又は複数の磁石２２５によって発生される動的な磁場に干渉しない非常に小さな磁場のみを作り出す。例えば、モーター２１０は、１又は複数の磁石２２５によって発生される動的な磁場又は電磁場の強さの、１％よりも弱い強さを有する磁場又は電磁場を作り出す。
【００５１】
モーター２１０は、適切なバッテリーなどの、電源によって電力供給される。一実施形態において、再充電のできるリチウムバッテリー又は任意の適切な再充電のできるバッテリーなどのバッテリー２３０は、治療モジュール２０５の筐体２３２内に配置される。充電された又は再充電できるバッテリーを制限なく含む任意の適切な電源が、各治療モジュール２０５に電力を供給するために活用されてもよいことは、当業者及びここに提供される教示によって導かれる者には明らかであろう。一実施形態において、ライト２３４又は他の適切なインジケーターは、治療モジュール２０５が作用のために起動しているか又は起動していないかどうかを示す。
【００５２】
治療モジュール２０５は、オプティカル光スペクトルでのフォトニック光照射野を発生するための少なくとも１つの光源２７５もまた含む。光源２７５は、例えば、電球、レーザー又は発光ダイオードを含んでもよい。光源２７５は、バッテリー２３０によって電源供給される。光源２７５から放射される光は、紫外線から赤外線までの光の広帯域スペクトルに分類されてもよい。具体的な実施形態において、光源２７５は、約１ナノメートル（ｎｍ）から約１２，０００ｎｍまでのオプティカル光波長を有する、紫外線から赤外線までの光の広帯域スペクトルにおいてフォトニック光照射野を作り出す。一実施形態において、光源２７５は、磁石２２５によって発生される磁場の中へ放射された光を指向させる。
【００５３】
結合される、磁石２２５によって発生される磁場と、オプティカルスペクトルでの光子電磁場とは、生体細胞の中で如何なるバルク熱をも作り出さないはずである。したがって、一実施形態において、光度の振幅の大きさが上下に揺動するように、オプティカル光スペクトルでのフォトニック電磁場は、継続的に照らすことも振動することもできる。加えて、オプティカル光スペクトルでのフォトニック電磁場は、大きさが上下に揺動することによって強度振幅を独立して振動させ又は変える、幅が３０ナノメートル（ｎｍ）又はそれより狭い、光の１又は複数の離散的狭帯域を有してもよく、又は、広帯域光スペクトル場の範囲内で断続的になってもよい。
【００５４】
図７に示される他の実施形態の微小振動マッサージ作用は、磁石保持固定部２１５を回転させるための起動モーター２１０によって作り出される。次いで、ここで微小振動として参照される物理的な振動は、筐体２７６を通して伝達される。モーターシャフト２２０への磁石２２５のオフセットした取付けは、微小振動としての人間又は動物の感覚によって感じ取られる、揺動する慣性負荷を作り出す。筐体２７６が人間又は動物の組織と接触するよう設置されるとき、微小振動は、組織に伝達される。実際には、筐体２７６が体に接触するよう、又は近傍に設置されるので、磁石２２５によって作り出される磁場と光源２７５によって作り出されるオプティカルスペクトルでのフォトニック電磁場とは、体の細胞に伝達されると共に体の細胞によって吸収される。モーター２１０及び半導体音波発生体（図中非表示）の両方又は一方を稼動することは、体によって同様に吸収される可聴ソニック音もまた作り出す。一実施形態において、音響変換機、音声コイルスピーカー２８０、又は可聴音響トーンを作り出すために構成された他の適切な構成要素は、モーター２１０に類似するやり方でバッテリー２３０によって電気的に駆動される。スピーカー２８０は、上記で開示されたように、人間の感覚をリラックスすると共に鎮静し、かつ、人間の細胞を刺激する心地よい音を作り出す。あるいは、又は加えて、モーター２１０は、可聴音響トーンを作り出す。
【００５５】
１又は複数の回転する磁石２２５によって発生されるような、小さな回転する磁場が、１又は複数の光源２７５から光量子によって刺激される細胞内に亢進された電子流を作り出すことが確認されている。その相乗効果は、フォトニック刺激、単独よりも５〜１０倍迅速な痛みの除去作用を増加する。治療モジュール２０５は、細胞エネルギーに変化を起こさせる、微小振動の、電磁気の、光子の、生化学の刺激を作り出す。より厳密に言えば、回転する磁石２２５によって発生される磁場は、有機体内の細胞エネルギーを変える。一実施形態において、磁気の、光子の、振動の、又はソニック音波のあるいはその組み合わせの技術は、５分間よりも短い時間内に痛みの軽減をもたらす。
【００５６】
図８をさらに参照すると、治療モジュール２０５の１又は複数のパラメータ値の、コントローラー２０６によって発生されると共に治療モジュール２０５に伝送される命令制御信号と、コントローラー２０６に治療モジュール２０５によって発生及び伝送される命令制御信号との両方又は一方の代表のアイコンと文字列との両方又は一方の代表のような、アイコン及び文字列の両方又は一方を表示するために構成されたディスプレースクリーン２８２を、手持式の又は机に取り付けられる遠隔コントローラー２０６は、含む。さらに、コントローラー２０６は、命令制御信号を治療モジュール２０５に伝送することを容易にするために構成される、キー及びノブの両方又は一方であるタッチスクリーン入力などの複数の入力装置２８４を含む。任意の適切な、ディスプレースクリーンと、入力装置の数及びタイプの両方又は一方との両方又は一方は、治療モジュール２０５とコントローラー２０６との間の通信を容易にするために活用されてもよいことが、当業者及びここに提供される教示によって導かれる者には明らかであろう。
【００５７】
上記に説明されるように、コントローラー２０６は、治療モジュール２０５の１又は複数のパラメータを制御するための命令制御信号を治療モジュール２０５に伝送するために構成される。具体的な実施形態において、例えば上記でさらに詳しく説明されるように、治療モジュール２０５を起動及び調整の両方又は一方と、非一定の又は一定の回転の速度で磁石２２５を回転するためのモーター２１０を起動及び調整の両方又は一方と、光を放射する光源２７５の光度と多数の光源１７５との両方又は一方の調整と、音響トーンを作り出すためのスピーカー２８０を起動及び調整の両方又は一方とをするために、コントローラー２０６は、構成される。
【００５８】
一実施形態において、治療装置１０５は、経皮的電気刺激療法を提供するための微弱電流を発生するために構成される。図９に示されるように、患者の皮膚に接触する筐体１７６でもって、微弱電流が、その結果として生じる電気回路によって画定される経路に沿って流れるように、正極３００及び陰極３０２は、バッテリー１３０（図９において非表示）にそれぞれ連結される。具体的な実施形態において、約１ミリアンペアよりも低い微弱電流は、痛みの緩和作用を施すための経皮的電気刺激療法を提供することを促進するために、正極３００と陰極３０２との間に発生される。
【００５９】
一実施形態において、少なくとも１つの治療モジュールを有する痛みの緩和を施すための方法は、磁場を発生するための少なくとも一つの磁石を回転することを含む。この磁場は、少なくとも１つの磁石をモーターに連結する、回転するシャフトの中心線に平行な磁場の中心線と共に移動する環状磁場パターンを含む。フォトニック光照射野は、約１ナノメートルから約１２，０００ナノメートルまでのオプティカル光波長を有する光を作り出すオプティカル光スペクトルで発生される。具体的な実施形態において、フォトニック光照射野は、磁場の中へ指向される。加えて、微小振動は、シャフトの中心線回りに画定される環状パターンにおいてオフセットする構造でシャフトに連結される少なくとも１つの磁石が回転することにより発生される。磁場は、１分間に約５００〜約１５０，０００回転の非一定の速度又は一定の速度で回転する少なくとも１つの磁石によって発生される。具体的な実施形態において、鎮静する可聴音響トーンは、治療モジュールによってもまた発生される。少なくとも１つの治療モジュールは、人間又は動物の体の痛い場所に接触して、又は近傍に設置される。一実施形態において、少なくとも１つの治療モジュールに接触することで、体の柔軟な表面は、発生される微小振動の結果として、一方向に１／２ミリメートルよりも移動しない。さらに、磁場、フォトニックオプティカル光照射野、及び微小振動は、生体細胞又は生体組織内で形成されるバルク熱を作り出さない。
【００６０】
コントローラーは、各治療モジュールに連結される。各治療モジュールの１又は複数のパラメータを制御するために構成されるソフトウェアを含むコンピュータと、手持式の又は机に取り付けられるコントローラーとの両方又は一方を、コントローラーは、含んでもよい。
【００６１】
この開示は、人間の体を貫通すると共に細胞エネルギーの増加を促し、かつ、それにより、痛みを軽減又は除去する治療治癒効果を促進する可聴音響音を伴う、動的磁場及び電磁気フォトニック光照射野を発生する治療微小振動マッサージ装置を説明する。
【００６２】
本発明が、様々な特有の実施形態に関して説明された一方で、当業者は、本発明が特許請求の範囲の精神及び範囲内で変更を伴って実施されることができることを認識するであろう。
【符号の説明】
【００６３】
５    治療装置
１０    モーター
１５    保持固定部
２０    モーターシャフト
２５    磁石
３０    バッテリー
３５    オンーオフスイッチ
４０    導電体
４５    導電体
５０    バッテリー保持キャップ
５５    筐体
６０    スイッチ保持筐体
６５    筐体
７０    モーター保持固定部
７５    光源
８０    音声コイルスピーカー
１００    システム
１０５    治療装置
１０６    コントローラー
１０７    筐体
１０８    ブルートゥース（登録商標）モジュール
１０９    アンテナ
１１０    ブルートゥース（登録商標）コントローラー
１１１    マイクロコントローラー
１１２    電力チャージ
１１３    シリアルＩＤコントローラー
１１４    ＵＳＢポート
１１６    電動モーター
１１８    磁石保持固定部
１２０    モーターシャフト
１２５    磁石
１３０    バッテリー
１７５    光源
１７６    筐体
１８０    音声コイルスピーカー
１８２    アンテナ
１８４    ディスプレースクリーン
１８６    入力機構
２００    システム
２０５    ストラップ
２０６    コントローラー
２０７    ストラップ
２０８    電力回路基板（ＰＣＢ）
２０９    モジュール筐体
２１０    モーター
２１５    磁石保持固定部
２２０    モーターシャフト
２２５    磁石
２３０    バッテリー
２３２    筐体
２３４    ライト
２７５    光源
２７６    筐体
２８２    ディスプレースクリーン
２８４    入力装置
３００    正極
３０２    陰極
【図１】
0005739492.tif 000002
【図１Ａ】
0005739492.tif 000003
【図２】
0005739492.tif 000004
【図２Ａ】
0005739492.tif 000005
【図３】
0005739492.tif 000006
【図３Ａ】
0005739492.tif 000007
【図４】
0005739492.tif 000008
【図５】
0005739492.tif 000009
【図６】
0005739492.tif 000010
【図７】
0005739492.tif 000011
【図８】
0005739492.tif 000012
【図９】
0005739492.tif 000013